(57)【要約】【課題】ビーコンフレームを受信する状況で消費される電力を低減可能な端末装置、基地局、通信システム、受信制御方法、送信方法およびプログラムを提供する。【解決手段】端末装置は、基地局から送信された無線通信を管理するためのビーコンフレームを受信するときに受信動作を開始しビーコンフレームを受信すると受信動作を停止し、ビーコンフレームとして送信された、第１のビーコンフレームと第１のビーコンフレームより転送レートが高い第２のビーコンフレームとのうち、所定の無線通信状態を基に第２のビーコンフレームを受信できると判断した場合、第１のビーコンフレームよりも第２のビーコンフレームを優先して受信する受信手段を含む。【選択図】図１
2014165578.tif 000002
【特許請求の範囲】
【請求項１】
基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する受信手段を含む端末装置。
【請求項２】
請求項１に記載の端末装置において、
前記受信手段は、前記第２のビーコンフレームを受信できない場合に、または、前記第２のビーコンフレームの受信状態が特定条件を満たす場合に、前記第１のビーコンフレームを受信する、端末装置。
【請求項３】
請求項２に記載の端末装置において、
前記特定条件は、前記第２のビーコンフレームの受信電界強度が特定閾値以下であるという条件である、端末装置。
【請求項４】
請求項１から３のいずれか１項に記載の端末装置において、
前記基地局は、前記第１および第２のビーコンフレームを、それぞれ、時間間隔をあけて送信するものであり、
前記受信手段は、選択的に前記ビーコンフレームを受信し、
前記所定の無線通信状態は、前記受信手段が前回受信しようとしたビーコンフレームの受信状態を含む、端末装置。
【請求項５】
請求項４に記載の端末装置において、
前記受信手段は、前回受信しようとしたビーコンフレームが前回の前記第２のビーコンフレームである状況で前記前回の第２のビーコンフレームを受信できた場合に、または、前回受信しようとしたビーコンフレームが前回の前記第１のビーコンフレームである状況で前記前回の第１ビーコンフレームの受信電界強度が所定閾値以上である場合に、前記第２ビーコンフレームを受信できると判断する、端末装置。
【請求項６】
請求項５に記載の端末装置において、
前記受信手段は、前記第２のビーコンフレームの受信電界強度が特定閾値以下である場合に前記第１のビーコンフレームを受信し、前記前回の第１のビーコンフレームの受信電界強度が前記所定閾値以上である場合に前記第２ビーコンフレームを受信できると判断し、
前記所定閾値は、前記第２のビーコンフレームの受信電界強度が前記特定閾値になる地点での前記第１のビーコンフレームの受信電界強度よりも大きい、端末装置。
【請求項７】
無線通信を管理するためのビーコンフレームとして、第１のビーコンフレームと、前記第１のビーコンフレームより転送レートが高い第２のビーコンフレームと、を送信する送信手段を含む基地局。
【請求項８】
無線通信を管理するためのビーコンフレームとして、第１のビーコンフレームと、前記第１のビーコンフレームより転送レートが高い第２のビーコンフレームと、を送信する送信手段を含む基地局と、
前記ビーコンフレームを受信するときに受信動作を開始し前記ビーコンフレームを受信すると前記受信動作を停止し、所定の無線通信状態を基に、前記第２のビーコンフレームを受信できると判断した場合、前記第１のビーコンフレームよりも前記第２のビーコンフレームを優先して受信する受信手段を含む端末装置と、
を含む通信システム。
【請求項９】
基地局と無線通信する端末装置が実行する受信制御方法であって、
前記基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する、受信制御方法。
【請求項１０】
コンピュータに、
基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する受信手順を実行させるためのプログラム。
【発明の詳細な説明】
【技術分野】
【０００１】
本発明は、端末装置、基地局、通信システム、受信制御方法、送信方法およびプログラムに関し、特には、無線通信を管理するためのビーコンフレームを受信する端末装置、基地局、通信システム、受信制御方法、送信方法およびプログラムに関する。
【背景技術】
【０００２】
無線ＬＡＮ（Local Area Network）基地局であるアクセスポイントと、無線ＬＡＮ端末であるステーションとの無線通信を、ビーコンフレームを用いて管理する無線ＬＡＮシステムが知られている（例えば、特許文献１参照）。
【０００３】
アクセスポイントは、一定時間間隔でビーコンフレームを送信する。
【０００４】
ビーコンフレームは、アクセスポイントと接続するために必要なネットワーク情報と、ビーコンフレームの送信周期と、アクセスポイントと接続しているステーション宛ての送信データの有無と、を示す。
【０００５】
アクセスポイントと接続していないステーションは、ビーコンフレームを受信すると、ビーコンフレームに示されたネットワーク情報を用いて、アクセスポイントと接続する。
【０００６】
アクセスポイントと接続しているステーションは、ビーコンフレームを受信すると、接続先のアクセスポイントのサービスエリア内にいると判断し、アクセスポイントとの接続を維持する。
【０００７】
また、アクセスポイントと接続しているステーションは、ビーコンフレームがステーション宛ての送信データが無い旨を示す状況では、ビーコンフレームに示されたビーコンフレームの送信周期を参照してビーコンフレームを受信する直前にAwake状態になって受信動作を開始し、ビーコンフレームの受信が終了するとSleep状態になって受信動作を停止する。
【先行技術文献】
【特許文献】
【０００８】
【特許文献１】特開２００７−１０４０３３号公報
【発明の概要】
【発明が解決しようとする課題】
【０００９】
ステーションの消費電力を低減するために、ビーコンフレームを受信する状況で消費される電力を低減する手法が望まれていた。
【００１０】
本発明の目的は、上記課題を解決可能な端末装置、基地局、通信システム、受信制御方法、送信方法およびプログラムを提供することである。
【課題を解決するための手段】
【００１１】
本発明の端末装置は、基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する受信手段を含む
本発明の基地局は、無線通信を管理するためのビーコンフレームとして、第１のビーコンフレームと、前記第１のビーコンフレームより転送レートが高い第２のビーコンフレームと、を送信する送信手段を含む。
【００１２】
本発明の通信システムは、
無線通信を管理するためのビーコンフレームとして、第１のビーコンフレームと、前記第１のビーコンフレームより転送レートが高い第２のビーコンフレームと、を送信する送信手段を含む基地局と、
前記ビーコンフレームを受信するときに受信動作を開始し前記ビーコンフレームを受信すると前記受信動作を停止し、所定の無線通信状態を基に、前記第２のビーコンフレームを受信できると判断した場合、前記第１のビーコンフレームよりも前記第２のビーコンフレームを優先して受信する受信手段を含む端末装置と、
を含む。
【００１３】
本発明の受信制御方法は、
基地局と無線通信する端末装置が実行する受信制御方法であって、
前記基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する。
【００１４】
本発明のプログラムは、
コンピュータに、
前記基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する受信手順を実行させる。
【発明の効果】
【００１５】
本発明によれば、ビーコンフレームを受信する状況で消費される電力を低減することが可能になる。
【図面の簡単な説明】
【００１６】
【図１】本発明の一実施形態の通信システム１００を示したブロック図である。
【図２】第１のビーコンフレームBC1と第２のビーコンフレームBC2との送信動作の一例を説明するためのタイミング図である。
【図３】第２のビーコンフレームBC2が到達するエリアＡと、第２のビーコンフレームBC2は到達しないが第１のビーコンフレームBC1は到達するエリアＢと、を示した模式図である。
【図４】受信するデータが無い状況での受信部３０１でのAwake状態とSleep状態との遷移を示した図である。
【図５】第２のビーコンフレームBC2を受信した場合の受信部３０１の動作を説明するためのフローチャートである。
【図６】端末装置３００がエリアＡからエリアＢに移動したときの受信部３０１でのAwake状態とSleep状態との遷移を示した図である。
【図７】第１のビーコンフレームBC1を受信した場合の受信部３０１の動作を説明するためのフローチャートである。
【図８】端末装置３００がエリアＢからエリアＡに移動したときの受信部３０１でのAwake状態とSleep状態との遷移を示した図である。
【図９】受信部３０１からなる端末装置を示した図である。
【図１０】通信部２０１からなる無線ＬＡＮ基地局２００と、受信部３０１からなる端末装置３００と、からなる通信システムを示した図である。
【図１１】通信部２０１からなる無線ＬＡＮ基地局２００を示した図である。
【図１２】通信部２０１がタイミング情報の付加された第１のビーコンフレームBC1および第２のビーコンフレームBC2を送信する状況での、受信部３０１でのAwake状態とSleep状態との遷移を示した図である。
【図１３】通信部２０１が、ビーコンフレームBC2に続いてビーコンフレームBC1を送信する状況での、受信部３０１でのAwake状態とSleep状態との遷移を示した図である。
【発明を実施するための形態】
【００１７】
以下、本発明の一実施形態について図面を参照して説明する。
【００１８】
図１は、本発明の一実施形態の通信システム１００を示したブロック図である。
【００１９】
通信システム１００は、例えば、IEEE802.11シリーズ規格に準拠した無線ＬＡＮ通信システムである。通信システム１００は、無線ＬＡＮ基地局２００と、端末装置３００と、を含む。なお、図１では、端末装置３００の数を１としているが、端末装置３００の数は１に限らず２以上であってもよい。
【００２０】
無線ＬＡＮ基地局２００は、基地局の一例であり、アクセスポイントとも称される。無線ＬＡＮ基地局２００は、通信部２０１と、制御部２０２と、を含む。
【００２１】
通信部２０１は、送信手段の一例である。
【００２２】
通信部２０１は、転送レートが１Ｍｂｐｓ（megabit per second）であるビーコンフレーム（以下「第１のビーコンフレームBC1」と称する）と、転送レートが５４Ｍｂｐｓであるビーコンフレーム（以下「第２のビーコンフレームBC2」と称する）と、を送信する。
【００２３】
第１のビーコンフレームBC1の転送レートは、１Ｍｂｐｓに限らず、第２のビーコンフレームBC2の転送レートよりも低ければよい。第２のビーコンフレームBC2の転送レートは、５４Ｍｂｐｓに限らず、第１のビーコンフレームBC1の転送レートよりも高ければよい。
【００２４】
第２のビーコンフレームBC2の転送レートは、第１のビーコンフレームBC1の転送レートより高いため、第２のビーコンフレームBC2の送信時間は、第１のビーコンフレームBC1の送信時間より短くなる。
【００２５】
通信部２０１は、第１のビーコンフレームBC1を、時間間隔をあけて送信し、第２のビーコンフレームBC2を、時間間隔をあけて送信する。
【００２６】
図２は、第１のビーコンフレームBC1と第２のビーコンフレームBC2との送信タイミングの一例を示した図である。
【００２７】
図２に示した例では、通信部２０１は、第１のビーコンフレームBC1と第２ビーコンフレームBC2を交互に、一定の時間間隔で送信する。
【００２８】
本実施形態では、第１のビーコンフレームBC1と第２のビーコンフレームBC2とは、送信タイミング以外では転送レートのみが異なる。このため、第２のビーコンフレームBC2の到達距離は、第１ビーコンフレームの到達距離BC1よりも短くなる。
【００２９】
図３は、第２のビーコンフレームBC2が到達するエリアＡと、第２のビーコンフレームBC2は到達しないが第１のビーコンフレームBC1は到達するエリアＢと、を示した模式図である。
【００３０】
第１のビーコンフレームBC1は、無線ＬＡＮ基地局２００と接続するために必要なネットワーク情報と、第１のビーコンフレームBC1の送信周期と、無線ＬＡＮ基地局２００と接続している端末装置宛ての送信データの有無と、を示す。
【００３１】
第２のビーコンフレームBC2は、無線ＬＡＮ基地局２００と接続するために必要なネットワーク情報と、第２のビーコンフレームBC2の送信周期と、無線ＬＡＮ基地局２００と接続している端末装置宛ての送信データの有無と、を示す。
【００３２】
以下では、第１のビーコンフレームBC1と第２のビーコンフレームBC2とを単に「ビーコンフレーム」とも称する。
【００３３】
図１に戻って、通信部２０１は、さらに、端末装置３００とデータ通信を行う。
【００３４】
制御部２０２は、無線ＬＡＮ基地局２００を制御する。
【００３５】
制御部２０２は、通信部２０１が端末装置３００から受信したデータを、通信ネットワーク（例えば、インターネット）４００に送信する。また、制御部２０２は、通信ネットワーク４００から受信した端末装置３００宛てのデータを、通信部２０１から端末装置３００に送信する。なお、通信ネットワーク４００は、インターネットに限らず適宜変更可能である。
【００３６】
端末装置３００は、例えば、携帯電話機またはスマートフォンである。なお、端末装置３００は、携帯電話機またはスマートフォンに限らず、例えば、ゲーム機、タブレットＰＣ（Personal Computer）、ノートＰＣ、ＰＤＡ（Personal Data Assistants：携帯情報端末）、または、タブレット端末でもよい。
【００３７】
端末装置３００は、受信部３０１と、表示部３０２と、入力部３０３と、送信部３０４と、データ制御部３０５と、を含む。
【００３８】
受信部３０１は、受信手段の一例である。
【００３９】
受信部３０１は、無線ＬＡＮ基地局２００から時間間隔をあけて送信されたビーコンフレームを選択的に受信する。
【００４０】
図４は、受信するデータが無い状況（受信されたビーコンフレームが端末装置３００宛ての送信データが無い旨を示している状況）での、ビーコンフレームと受信部３０１の動作との関係を説明するための図である。
【００４１】
図４に示したAPは、第１のビーコンフレームBC1および第２のビーコンフレームBC2の送信タイミングを表す。図４に示したSTA-1は、第２のビーコンフレームBC2を受信する受信部３０１でのAwake状態とSleep状態との遷移を表す。図４に示したSTA-2は、第１のビーコンフレームBC1を受信する受信部３０１でのAwake状態とSleep状態との遷移を表す。
【００４２】
図４に示した状況では、受信部３０１は、受信されたビーコンフレームの受信タイミングと受信されたビーコンフレームに示されたビーコンフレームの送信周期とを参照して、新たに送信されるビーコンフレームを受信するときにAwake状態に遷移する。受信部３０１は、Awake状態になると受信動作を実行する。
【００４３】
受信部３０１は、Awake状態でビーコンフレームを受信した場合、または、Awake状態でビーコンフレームを受信できなかった場合に、Sleep状態に遷移する。受信部３０１は、Sleep状態になると受信動作を停止する。
【００４４】
なお、Sleepは、IEEE802.11シリーズ規格ではDozeと呼ばれる。
【００４５】
受信部３０１は、前回受信しようとしたビーコンフレームの受信状態を基に、第２のビーコンフレームBC2を受信できると判断した場合、第１のビーコンフレームBC1よりも第２のビーコンフレームBC2を優先して受信する。
【００４６】
なお、前回受信しようとしたビーコンフレームの受信状態は、所定の無線通信状態の一例である。
【００４７】
また、受信部３０１は、受信するデータが有る状況（受信されたビーコンフレームが端末装置３００宛ての送信データが有る旨を示している状況）では、無線ＬＡＮ基地局２００から端末装置３００宛てのデータを受信する。
【００４８】
また、受信部３０１は、第１のビーコンフレームBC1の受信電界強度RSSI（received signal strength indicator）を測定する。
【００４９】
表示部３０２は、種々の表示を実行する。入力部３０３は、例えば、タッチパネルまたは操作キーであり、種々のデータを受け付ける。送信部３０４は、無線ＬＡＮ基地局２００に接続用のフレームやデータを送信する。データ制御部３０５は、端末装置３００のデータ通信を制御する。例えば、データ制御部３０５は、受信部３０１が受信したデータを表示部３０２に表示する。また、データ制御部３０５は、入力部３０３が受け付けたデータを送信部３０４から無線ＬＡＮ基地局２００に送信する。
【００５０】
次に、動作を説明する。
【００５１】
以下では、第１のビーコンフレームBC1および第２のビーコンフレームBC2は、それぞれ、端末装置３００宛ての送信データがない旨を示しているとする。
【００５２】
図５は、第２のビーコンフレームBC2を受信した場合の受信部３０１の動作を説明するためのフローチャートである。
【００５３】
受信部３０１は、Awake状態で第２のビーコンフレームBC2を受信すると（ステップＳ５０１）、後続の第２のビーコンフレームBC2を受信できると判断する（ステップＳ５０２）。
【００５４】
受信部３０１は、後続の第２のビーコンフレームBC2を受信できると判断すると、第２のビーコンフレームBC2に示された第２のビーコンフレームBC2の送信周期を読み取る（ステップＳ５０３）。
【００５５】
続いて、受信部３０１は、第２のビーコンフレームBC2の受信タイミングと、第２のビーコンフレームBC2の送信周期と、に基づいて、受信された第２のビーコンフレームBC2の次に送信される第２のビーコンフレームBC2を受信するタイミング（以下「受信予定タイミングBC2T」と称する）を特定する（ステップＳ５０４）。
【００５６】
続いて、受信部３０１は、受信予定タイミングBC2Tよりも前のタイミングを起動予定タイミングとして特定する（ステップＳ５０５）。
【００５７】
続いて、受信部３０１は、Sleep状態に遷移して受信動作を停止する（ステップＳ５０６）。
【００５８】
続いて、受信部３０１は、起動予定タイミングになるとAwake状態になり受信動作を開始する（ステップＳ５０７）。
【００５９】
なお、受信部３０１は、受信予定タイミングBC2Tを過ぎても第２のビーコンフレームBC2を受信できない場合、例えば、端末装置３００がエリアＡからエリアＢに移動した場合、Awake状態をさらに継続する。
【００６０】
受信部３０１は、Awake状態を継続している間に第１のビーコンフレームBC1を受信すると、Sleep状態に遷移する。なお、受信部３０１は、Awake状態の継続時間が所定時間になってもビーコンフレームを受信できない場合、Sleep状態に遷移する。所定時間は適宜設定可能である。
【００６１】
図６は、端末装置３００がエリアＡからエリアＢに移動したときの受信部３０１でのAwake状態とSleep状態との遷移を示した図である。
【００６２】
端末装置３００がエリアＡに位置しているときには、受信部３０１は、第２のビーコンフレームBC2aを受信するときにAwake状態に遷移し、第２のビーコンフレームBC2aの受信を終了するとSleep状態に遷移する（図６の期間Ｔ１）。
【００６３】
その後、端末装置３００がエリアＡからエリアＢに移動する。
【００６４】
その後、受信部３０１は、第２のビーコンフレームBC2bに対応する起動予定タイミングでAwake状態に遷移し受信動作を開始する。
【００６５】
しかしながら、第２のビーコンフレームBC2bはエリアＢに到達しないため、受信部３０１は、第２のビーコンフレームBC2bに対応する起動予定タイミングで、第２のビーコンフレームBC2bを受信できない。このため、受信部３０１は、Awake状態をさらに継続し、第１のビーコンフレームBC1bを受信する（図６の期間Ｔ２）。
【００６６】
図７は、第１のビーコンフレームBC1を受信した場合の受信部３０１の動作を説明するためのフローチャートである。
【００６７】
受信部３０１は、Awake状態で第１のビーコンフレームBC1を受信すると（ステップＳ７０１）、第１のビーコンフレームBC1の受信電界強度RSSIが予め定められた閾値（以下「所定閾値」と称する）以上であるかを判断する（ステップＳ７０２）。
【００６８】
なお、第１のビーコンフレームBC1の受信電界強度RSSIの値は、受信部３０１と無線ＬＡＮ基地局２００との距離が短くなると大きくなる可能性が高い。
【００６９】
本実施形態では、所定閾値は、エリアＡの境界での第１のビーコンフレームBC1の受信電界強度RSSIの値を表す。
【００７０】
ステップＳ７０２において、例えば端末装置３００がエリアＢ内に位置し、第１のビーコンフレームBC1の受信電界強度RSSIが所定閾値未満であると、受信部３０１は、後続の第２のビーコンフレームBC2を受信できないと判断する（ステップＳ７０３）。
【００７１】
受信部３０１は、第２のビーコンフレームBC2を受信できないと判断すると、第１のビーコンフレームBC1に示された第１のビーコンフレームBC1の送信周期を読み取る（ステップＳ７０４）。
【００７２】
続いて、受信部３０１は、第１のビーコンフレームBC1の受信タイミングと、第１のビーコンフレームBC1の送信周期と、に基づいて、受信された第１のビーコンフレームBC1の次に送信される第１のビーコンフレームBC1を受信するタイミング（以下「受信予定タイミングBC1T」と称する）を特定する（ステップＳ７０５）。
【００７３】
続いて、受信部３０１は、受信予定タイミングBC1Tよりも前のタイミングを起動予定タイミングとして特定する（ステップＳ７０６）。
【００７４】
続いて、受信部３０１は、Sleep状態に遷移して受信動作を停止する（ステップＳ７０７）。
【００７５】
続いて、受信部３０１は、起動予定タイミングになるとAwake状態になり受信動作を開始する（ステップＳ７０８）。
【００７６】
一方、例えば端末装置３００がエリアＢからエリアＡに移動して、ステップＳ７０２において、第１のビーコンフレームBC1の受信電界強度RSSIが所定閾値以上となる場合、受信部３０１は、後続の第２のビーコンフレームBC2を受信できると判断する（ステップＳ７０９）。
【００７７】
受信部３０１は、後続の第２のビーコンフレームBC2を受信できると判断すると、第２のビーコンフレームBC2を受信するためにAwake状態をさらに継続する（ステップＳ７１０）。
【００７８】
なお、受信部３０１は、Awake状態を継続している間に第２のビーコンフレームBC2を受信すると、図５に示した動作を実行する。また、受信部３０１は、Awake状態の継続時間が特定時間になってもビーコンフレームを受信できない場合、Sleep状態に遷移する。特定時間は適宜設定可能である。
【００７９】
図８は、端末装置３００がエリアＢからエリアＡに移動したときの受信部３０１でのAwake状態とSleep状態との遷移を示した図である。
【００８０】
端末装置３００がエリアＢに位置しているときには、受信部３０１は、第１のビーコンフレームBC1cを受信するときにAwake状態に遷移し、第１のビーコンフレームBC1cを受信する。端末装置３００がエリアＢに位置している場合、受信された第１のビーコンフレームBC1cの受信電界強度RSSIは、所定閾値未満となる。このため、受信部３０１は、Sleep状態に遷移する（図８の期間Ｔ３）。
【００８１】
その後、端末装置３００がエリアＢからエリアＡに移動する。
【００８２】
その後、受信部３０１は、第１のビーコンフレームBC1dに対応する起動予定タイミングでAwake状態に遷移し、第１のビーコンフレームBC1dを受信する。
【００８３】
端末装置３００がエリアＢに位置している場合、受信された第１のビーコンフレームBC1dの受信電界強度RSSIは所定閾値以上となる。このため、受信部３０１は、Awake状態をさらに継続し、第２のビーコンフレームBC1dを受信する（図８の期間Ｔ４参照）。
【００８４】
次に、本実施形態の効果を説明する。
【００８５】
本実施形態によれば、受信部３０１は、無線ＬＡＮ基地局２００から送信される無線通信を管理するためのビーコンフレームを受信するときに受信動作を開始し、ビーコンフレームを受信すると受信動作を停止する。そして、受信部３０１は、所定の無線通信状態を基に、第１のビーコンフレームBC1より転送レートが高い第２のビーコンフレームBC2を受信できると判断した場合、第１のビーコンフレームBC1よりも第２のビーコンフレームBC2を優先して受信する。
【００８６】
このため、常に第１のビーコンフレームBC1を受信する場合に比べて受信動作の継続時間を短くすることが可能になる。したがって、受信動作にて消費される電力を少なくすることが可能になる。
【００８７】
例えば、第１のビーコンフレームBC1の転送レートが１Ｍｂｐｓレートであり、第２のビーコンフレームBC2の転送レートが５４Ｍｂｐｓレートであるとき、第２のビーコンフレームBC2のペイロード部分の時間長は、第１のビーコンフレームBC1のペイロード部分の時間長の５４分の１となる。このため、受信部３０１が第１のビーコンフレームBC1よりも第２のビーコンフレームBC2を優先して受信する場合、受信動作にて消費される電力を少なくできる。
【００８８】
したがって、例えば端末装置３００がバッテリーを電源として用いる場合、１度のバッテリーの充電で端末装置３００を使用できる時間を長くすることが可能になる。
【００８９】
なお、上記効果は、受信部３０１からなる端末装置３００でも奏する。
【００９０】
図９は、受信部３０１からなる端末装置３００を示した図である。
【００９１】
また、上記効果は、通信部２０１からなる無線ＬＡＮ基地局２００と、受信部３０１からなる端末装置３００と、からなる通信システム１００でも奏する。
【００９２】
図１０は、通信部２０１からなる無線ＬＡＮ基地局２００と、受信部３０１からなる端末装置３００と、からなる通信システム１００を示した図である。
【００９３】
また、本実施形態では、無線ＬＡＮ基地局２００の通信部２０１は、第１のビーコンフレームBC1と、第１のビーコンフレームBC1より転送レートが高い第２のビーコンフレームBC2と、を送信する。
【００９４】
このため、受信部３０１が受信動作にて消費される電力を少なくすることを支援できる。なお、この効果は、通信部２０１からなる無線ＬＡＮ基地局２００でも奏する。
【００９５】
図１１は、通信部２０１からなる無線ＬＡＮ基地局２００を示した図である。
【００９６】
また、本実施形態では、受信部３０１は、第２のビーコンフレームBC2を受信できない場合に、第１のビーコンフレームBC1を受信する。
【００９７】
このため、第２のビーコンフレームBC2を受信できない場合に、端末装置３００と無線ＬＡＮ基地局２００との接続が切れてしまう可能性を少なくすることが可能になる。
【００９８】
また、本実施形態では、所定の無線通信状態は、受信部３０１が前回受信しようとしたビーコンフレームの受信状態を含む。
【００９９】
このため、前回受信しようとしたビーコンフレームの受信状態を利用して、第２のビーコンフレームBC2を受信できるかを判断することが可能になる。したがって、第２のビーコンフレームBC2を受信できるかを判断するために、ビーコンフレーム以外の対象の状態を検出しなくて済む。
【０１００】
また、本実施形態では、受信部３０１は、前回受信しようとしたビーコンフレームが前回の第２のビーコンフレームBC2である状況で前回の第２のビーコンフレームBC2を受信できた場合に、または、前回受信しようとしたビーコンフレームが前回の第１のビーコンフレームBC1である状況で前回の第１ビーコンフレームの受信電界強度RSSIが所定閾値以上である場合に、第２ビーコンフレームBC2を受信できると判断する。
【０１０１】
前回の第２のビーコンフレームBC2を受信できた場合、受信部３０１は、第２のビーコンフレームBC2を受信可能なエリアに位置している可能性が高い。また、前回の第１のビーコンフレームBC1の受信電界強度RSSIが所定閾値以上である場合、受信部３０１は、第２のビーコンフレームBC2を受信可能なエリアに位置している可能性が高い。このため、第２のビーコンフレームBC2を受信できるかの判断を高い精度で実行することが可能になる。
【０１０２】
なお、受信部３０１は、受信電界強度RSSIが所定閾値以上である第１のビーコンフレームBC1を所定回数（例えば３回）連続して受信した場合に、第２のビーコンフレームBC2を受信できると判断してもよい。所定回数は、３回に限らず適宜変更可能である。
【０１０３】
受信電界強度RSSIが所定閾値以上である第１のビーコンフレームBC1を所定回数連続して受信した際に、第２のビーコンフレームBC2を受信できると判断する場合、受信部３０１が第２のビーコンフレームBC2を受信可能なエリアに位置している可能性がかなり高くなる。このため、第２のビーコンフレームBC2を受信できるかの判断を高い精度で実行することが可能になる。
【０１０４】
よって、例えば、受信部３０１が第２のビーコンフレームBC2を受信可能なエリアの境界近辺を移動していて、受信部３０１が所定閾値以上の受信電界強度RSSIを有する第１のビーコンフレームBC1を所定回数連続して受信できない場合に、図８に示した期間Ｔ４でのAwake状態の継続を抑制可能となる。したがって、Awake状態の継続に伴う消費電力の増加を抑制可能となる。
【０１０５】
また、受信部３０１は、第２のビーコンフレームBC2を特定回数（例えば２回）連続して受信できない場合に、第１のビーコンフレームBC1を受信してもよい。特定回数は、２回に限らず適宜変更可能である。
【０１０６】
第２のビーコンフレームBC2を特定回数連続して受信できない場合、受信部３０１が、第２のビーコンフレームBC2を受信可能なエリアに位置している可能性がかなり低い。
【０１０７】
よって、例えば、受信部３０１が第２のビーコンフレームBC2を受信可能なエリアの境界近辺を移動していて、受信部３０１が第２のビーコンフレームBC2を連続して受信できない場合に、図６に示した期間Ｔ２でのAwake状態の継続を抑制可能となる。したがって、Awake状態の継続に伴う消費電力の増加を抑制可能となる。
【０１０８】
また、受信部３０１は、第２のビーコンフレームBC2の受信電界強度RSSIを測定し、第２のビーコンフレームBC2の受信電界強度RSSIが予め定められた特定閾値以下である場合に、受信対象のビーコンフレームを、第２のビーコンフレームBC2から第１のビーコンフレームBC1に切り替えてもよい。この場合、第２のビーコンフレームBC2の受信電界強度RSSIに応じて、受信対象のビーコンフレームを、第２のビーコンフレームBC2から第１のビーコンフレームBC1に切り替えることが可能になる。
【０１０９】
なお、第２のビーコンフレームBC2の受信電界強度RSSIは、第２のビーコンフレームBC2の受信状態の一例であり、第２のビーコンフレームBC2の受信電界強度RSSIが予め定められた特定閾値以下であるという条件は、特定条件の一例である。
【０１１０】
さらに、特定閾値として、エリアＡの境界での第２のビーコンフレームBC2の受信電界強度RSSIの値が用いられ、所定閾値として、第２のビーコンフレームBC2の受信電界強度RSSIが特定閾値になる地点での第１のビーコンフレームBC1の受信電界強度よりも大きい値が用いられてもよい。この場合、受信対象のビーコンフレームを第２のビーコンフレームBC2から第１のビーコンフレームBC1に切り替える際に用いる閾値と、受信対象のビーコンフレームを第１のビーコンフレームBC1から第２のビーコンフレームBC2に切り替える際に用いる閾値と、の間に、ヒステリシスの関係を持たせることができる。
【０１１１】
このため、例えば、受信部３０１がエリアＡの境界近辺を移動している場合に、受信部３０１が、図６に示した期間Ｔ２でのAwake状態の継続動作と、図８に示した期間Ｔ４でのAwake状態の継続動作とを、頻繁に実行することを抑制可能になる。
【０１１２】
なお、受信部３０１は、第１のビーコンフレームBC1の送信周期を、１つ前の第１のビーコンフレームから取得する代わりに、アソシエーション時に無線ＬＡＮ基地局２００から取得してもよい。
【０１１３】
また、受信部３０１は、第２のビーコンフレームBC2の送信周期を、１つ前の第２のビーコンフレームから取得する代わりに、アソシエーション時に無線ＬＡＮ基地局２００から取得してもよい。
【０１１４】
また、受信部３０１は、無線ＬＡＮ基地局２００との接続段階で、第１のビーコンフレームBC1と第２のビーコンフレームBC2との送信周期を測定してもよい。
【０１１５】
また、無線ＬＡＮ基地局２００の通信部２０１は、第１のビーコンフレームBC1と第２のビーコンフレームBC2のそれぞれに、第１のビーコンフレームBC1と第２のビーコンフレームBC2との各々が送信されるタイミングを表すタイミング情報（TBTT：Target Beacon Transmit Time）を付加し、タイミング情報が付加された第１のビーコンフレームBC1および第２のビーコンフレームBC2を送信してもよい。タイミング情報は、例えば、ビーコンフレームに付加されたインフォメーションエレメントと呼ばれるフィールドに記載される。
【０１１６】
無線ＬＡＮ基地局２００の通信部２０１が、タイミング情報が付加された第１のビーコンフレームBC1および第２のビーコンフレームBC2を送信する場合、端末装置３００の受信部３０１は、以下のように動作することが望ましい。
【０１１７】
受信部３０１は、タイミング情報が付加されたビーコンフレームを受信すると、タイミング情報を記憶する。受信部３０１は、受信対象のビーコンフレームを、第１および第２のビーコンフレームの一方から他方に切り替える場合、タイミング情報に基づいて、一方を受信するための受信動作を停止し、その後、他方を受信するときに受信動作を開始する。
【０１１８】
図１２は、通信部２０１がタイミング情報の付加された第１のビーコンフレームBC1および第２のビーコンフレームBC2を送信する状況での、受信部３０１でのAwake状態とSleep状態との遷移を示した図である。
【０１１９】
図１２に示したAP-0は、タイミング情報の付加された第１のビーコンフレームBC1および第２のビーコンフレームBC2の送信タイミングを表す。
【０１２０】
図１２に示したSTA-3は、受信対象のビーコンフレームを、第２のビーコンフレームBC2から第１のビーコンフレームBC1に切り替える受信部３０１でのAwake状態とSleep状態との遷移を表す。
【０１２１】
図１２に示したSTA-4は、受信対象のビーコンフレームを、第１のビーコンフレームBC1から第２のビーコンフレームBC2に切り替える受信部３０１でのAwake状態とSleep状態との遷移を表す。
【０１２２】
図１２のSTA-3を参照すると、端末装置３００がエリアＡに位置しているときには、受信部３０１は、第２のビーコンフレームBC2eを受信するときにAwake状態に遷移し、第２のビーコンフレームBC2eを受信する。端末装置３００がエリアＡに位置している場合、第２のビーコンフレームBC1eの受信電界強度RSSIは特定閾値より大きくなる。このため、受信部３０１は、Sleep状態に遷移する（図１２の期間Ｔ５参照）。
【０１２３】
その後、端末装置３００がエリアＡからエリアＢへ向けて移動する。
【０１２４】
その後、受信部３０１は、第２のビーコンフレームBC2fに対応する起動予定タイミングでAwake状態に遷移し、第２のビーコンフレームBC2fを受信する。受信部３０１は、第２のビーコンフレームBC2fの受信が完了するとSleep状態に遷移する。そして、第２のビーコンフレームBC2fの受信電界強度RSSIが特定閾値以下であると、受信部３０１は、第２のビーコンフレームBC2eまたはBC2fに付加されたタイミング情報を参照して、第１のビーコンフレームBC1fの受信タイミングを算出する。受信部３０１は、第１のビーコンフレームBC1fの受信タイミングよりも前のタイミングでAwake状態に遷移して第１のビーコンフレームBC1fを受信する（図１２の期間Ｔ６参照）。
【０１２５】
また、図１２のSTA-4を参照すると、端末装置３００がエリアＢに位置しているときには、受信部３０１は、第１のビーコンフレームBC1gを受信するときにAwake状態に遷移し、第１のビーコンフレームBC1gを受信する。端末装置３００がエリアＢに位置している場合、第１のビーコンフレームBC1gの受信電界強度RSSIは所定閾値未満になる。このため、受信部３０１は、Sleep状態に遷移する（図１２の期間Ｔ７参照）。
【０１２６】
その後、端末装置３００がエリアＢからエリアＡへ向けて移動する。
【０１２７】
その後、受信部３０１は、第１のビーコンフレームBC1hに対応する起動予定タイミングでAwake状態に遷移し、第１のビーコンフレームBC1hを受信する。受信部３０１は、第１のビーコンフレームBC1hの受信が完了するとSleep状態に遷移する。そして、第１のビーコンフレームBC1hの受信電界強度RSSIが所定閾値以上であると、受信部３０１は、第１のビーコンフレームBC1gまたはBC1hに付加されたタイミング情報を参照して、第２のビーコンフレームBC2fの受信タイミングを算出する。受信部３０１は、第２のビーコンフレームBC2fの受信タイミングよりも前のタイミングでAwake状態に遷移して第２のビーコンフレームBC2fを受信する（図１２の期間Ｔ８参照）。
【０１２８】
受信部３０１が、受信対象のビーコンフレームを第１および第２のビーコンフレームの一方から他方に切り替える際に、タイミング情報に基づいて、一方を受信するための受信動作を停止し、その後、他方を受信するときに受信動作を開始する場合、一方を受信した後に他方を受信するためにAwake状態を継続する動作（図６の期間Ｔ２、図８の期間Ｔ４参照）を不要することができる。このため、Awake状態の継続に伴う電力の消費を抑制することが可能になる。
【０１２９】
なお、受信部３０１は、タイミング情報から第１および第２のビーコンフレームの送信タイミングを取得する代わりに、無線ＬＡＮ基地局２００との接続段階で、第１のビーコンフレームBC1と第２のビーコンフレームBC2とをそれぞれ複数受信し、その受信結果に基づいて、第１および第２のビーコンフレームの送信されるタイミングを推測してもよい。
【０１３０】
また、本実施形態では、無線ＬＡＮ基地局２００の通信部２０１は、転送レートが異なる２つのビーコンフレーム（第１および第２のビーコンフレーム）を送信したが、転送レートが異なる３つ以上のビーコンフレームを送信してもよい。
【０１３１】
また、本実施形態では、通信部２０１は、第１のビーコンフレームBC1と第２のビーコンフレームBC2とを交互に一定の時間間隔で送信したが、第１のビーコンフレームBC1と第２のビーコンフレームBC2のそれぞれの送信タイミングは適宜変更可能である。
【０１３２】
例えば、通信部２０１は、第２のビーコンフレームBC2に続いて、第１のビーコンフレームBC1を連続的に送信してもよい。この場合、通信部２０１は、ビーコンフレームBC2には、ビーコンフレームBC2の送信周期を表すBC2送信周期情報を付加し、ビーコンフレームBC1には、ビーコンフレームBC1の送信周期ではなくビーコンフレームBC1から次のビーコンフレームBC2までの送信間隔を表す送信間隔情報を付加する。
【０１３３】
この場合、端末装置３００の受信部３０１は、ビーコンフレームBC2を受信している状況でも、ビーコンフレームBC1を受信している状況でも、常にビーコンフレームBC2の送信タイミングに同期して起動する。このことは、受信部３０１は常に高レートと低レートのビーコンフレームの両方も受信できるタイミングで起動する、ということを意味する。
【０１３４】
図１３は、通信部２０１が、ビーコンフレームBC2に続いてビーコンフレームBC1を送信する状況での、受信部３０１でのAwake状態とSleep状態との遷移を示した図である。
【０１３５】
図１３に示したAP-1は、BC2送信周期情報が付加されたビーコンフレームBC2に続いて、送信間隔情報が付加されたビーコンフレームBC1を送信する。
【０１３６】
図１３に示したSTA-5は、受信対象のビーコンフレームを、ビーコンフレームBC2からビーコンフレームBC1に切り替える受信部３０１でのAwake状態とSleep状態との遷移を表す。
【０１３７】
図１３に示したSTA-6は、受信対象のビーコンフレームを、ビーコンフレームBC1からビーコンフレームBC2に切り替える受信部３０１でのAwake状態とSleep状態との遷移を表す。
【０１３８】
図１３のSTA-5を参照すると、端末装置３００がエリアＡに位置しているときには、受信部３０１は、ビーコンフレームBC2-1を受信するときにAwake状態に遷移し、ビーコンフレームBC2-1を受信し、その後、後続のビーコンフレームBC1-1を受信せずに即座にSleep状態に遷移する。これにより、ビーコンフレームの受信にかかる消費電力を抑制することができる。
【０１３９】
その後、端末装置３００がエリアＡからエリアＢへ向けて移動する。
【０１４０】
その後、受信部３０１は、ビーコンフレームBC2-2に対応する起動予定タイミングでAwake状態に遷移するが、ビーコンフレームBC2-2を受信できない。この場合、受信部３０１は、Awake状態を維持し、後続のビーコンフレームBC1-2を受信することで、接続状態を維持することができる。このとき、ビーコンフレームBC2-2とビーコンフレームBC1-2とが連続的に送信されているため、Awake状態の期間を小さくすることができる。
【０１４１】
また、図１３のSTA-6を参照すると、端末装置３００がエリアＢに位置しているときには、受信部３０１は、ビーコンフレームBC2-1に対応する起動予定タイミングでAwake状態に遷移するが、ビーコンフレームBC2-1を受信できず、Awake状態を維持し、後続のビーコンフレームBC1-1を受信し、その後、Sleep状態に遷移する。
【０１４２】
その後、端末装置３００がエリアＢからエリアＡへ向けて移動する。
【０１４３】
その後、受信部３０１は、ビーコンフレームBC2-2に対応する起動予定タイミングでAwake状態に遷移し、ビーコンフレームBC2-2を受信し、その後、Sleep状態に遷移する。このように、受信部３０１は、最初からビーコンフレームBC2を受信できるタイミングで起動しているので、上述した例のような特別な実装を必要とせずに、高レートのビーコンフレームBC2を受信することが可能となり、以降、高レートのビーコンフレームBC2を受信することで、省電力での接続維持の状態となる。
【０１４４】
また、本実施形態では、受信部３０１は、無線ＬＡＮ基地局２００から送信される各ビーコンフレームの転送レートを、無線ＬＡＮ基地局２００を探索する手法であるパッシブスキャンにて実際に受信したビーコンフレームから取得する。なお、受信部３０１が各ビーコンフレームの転送レートを取得する手法は、適宜変更可能である。
【０１４５】
例えば、通信部２０１が、受信部３０１でのアクティブスキャンの際に送信する応答フレーム（ProbeResponse）を用いて、各ビーコンフレームの転送レートを受信部３０１に通知してもよい。一例としては、通信部２０１は、各ビーコンフレームの転送レートを示す情報が付加された応答フレームを、受信部３０１に送信する。
【０１４６】
また、通信部２０１が、各ビーコンフレームにビーコンフレームの転送レートを示すレート種別情報を付加し、レート種別情報が付加されたビーコンフレームを送信してもよい。
【０１４７】
また、通信システム１００は、無線通信を管理するためにビーコンフレームを用いるシステムであれば、IEEE802.11シリーズ規格に準拠していなくてもよい。
【０１４８】
なお、上記実施形態において、端末装置３００はコンピュータにて実現されてもよい。この場合、このコンピュータは、コンピュータにて読み取り可能なＣＤ−ＲＯＭ（Compact Disk Read Only Memory）のような記録媒体に記録されたプログラムを読込み実行して、端末装置３００が有する機能を実行する。記録媒体は、ＣＤ−ＲＯＭに限らず適宜変更可能である。
【０１４９】
また、上記実施形態において、無線ＬＡＮ基地局２００はコンピュータにて実現されてもよい。この場合、このコンピュータは、コンピュータにて読み取り可能な記録媒体に記録されたプログラムを読込み実行して、無線ＬＡＮ基地局２００が有する機能を実行する。
【０１５０】
以上説明した実施形態において、図示した構成は単なる一例であって、本発明はその構成に限定されるものではない。
【０１５１】
上記の実施形態の一部または全部は、以下の付記のように記載されうるが、以下には限られない。
【０１５２】
（付記１）基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する受信手段を含む端末装置。
【０１５３】
（付記２）付記１に記載の端末装置において、
前記受信手段は、前記第２のビーコンフレームを受信できない場合に、または、前記第２のビーコンフレームの受信状態が特定条件を満たす場合に、前記第１のビーコンフレームを受信する、端末装置。
【０１５４】
（付記３）付記２に記載の端末装置において、
前記特定条件は、前記第２のビーコンフレームの受信電界強度が特定閾値以下であるという条件である、端末装置。
【０１５５】
（付記４）付記１から３のいずれか１項に記載の端末装置において、
前記基地局は、前記第１および第２のビーコンフレームを、それぞれ、時間間隔をあけて送信するものであり、
前記受信手段は、選択的に前記ビーコンフレームを受信し、
前記所定の無線通信状態は、前記受信手段が前回受信しようとしたビーコンフレームの受信状態を含む、端末装置。
【０１５６】
（付記５）付記４に記載の端末装置において、
前記受信手段は、前回受信しようとしたビーコンフレームが前回の前記第２のビーコンフレームである状況で前記前回の第２のビーコンフレームを受信できた場合に、または、前回受信しようとしたビーコンフレームが前回の前記第１のビーコンフレームである状況で前記前回の第１ビーコンフレームの受信電界強度が所定閾値以上である場合に、前記第２ビーコンフレームを受信できると判断する、端末装置。
【０１５７】
（付記６）付記５に記載の端末装置において、
前記受信手段は、前記第２のビーコンフレームの受信電界強度が特定閾値以下である場合に前記第１のビーコンフレームを受信し、前記前回の第１のビーコンフレームの受信電界強度が前記所定閾値以上である場合に前記第２ビーコンフレームを受信できると判断し、
前記所定閾値は、前記第２のビーコンフレームの受信電界強度が前記特定閾値になる地点での前記第１のビーコンフレームの受信電界強度よりも大きい、端末装置。
【０１５８】
（付記７）付記４から６のいずれか１項に記載の端末装置において、
前記受信手段は、前記受信電界強度が前記所定閾値以上である第１のビーコンフレームを所定回数連続して受信した場合に、前記第２のビーコンフレームを受信できると判断する、端末装置。
【０１５９】
（付記８）付記４から７のいずれか１項に記載の端末装置において、
前記受信手段は、前記受信手段が前記第２のビーコンフレームを特定回数連続して受信できない場合に、前記第１のビーコンフレームを受信する、端末装置。
【０１６０】
（付記９）付記１から８のいずれか１項に記載の端末装置において、
前記受信手段は、前記所定の無線通信状態を基に、前記第２のビーコンフレームを受信できないと判断した場合、前記第１のビーコンフレームを受信する、端末装置。
【０１６１】
（付記１０）付記１から９のいずれか１項に記載の端末装置において、
前記受信手段は、前記第１および第２のビーコンフレームが送信されるタイミングを取得し、受信対象のビーコンフレームを、前記第１および第２のビーコンフレームの一方から他方に切り替える場合、前記タイミングに基づいて、前記一方を受信するための前記受信動作を停止し、その後、前記他方を受信するための前記受信動作を開始する、端末装置。
【０１６２】
（付記１１）無線通信を管理するためのビーコンフレームとして、第１のビーコンフレームと、前記第１のビーコンフレームより転送レートが高い第２のビーコンフレームと、を送信する送信手段を含む基地局。
【０１６３】
（付記１２）無線通信を管理するためのビーコンフレームとして、第１のビーコンフレームと、前記第１のビーコンフレームより転送レートが高い第２のビーコンフレームと、を送信する送信手段を含む基地局と、
前記ビーコンフレームを受信するときに受信動作を開始し前記ビーコンフレームを受信すると前記受信動作を停止し、所定の無線通信状態を基に、前記第２のビーコンフレームを受信できると判断した場合、前記第１のビーコンフレームよりも前記第２のビーコンフレームを優先して受信する受信手段を含む端末装置と、
を含む通信システム。
【０１６４】
（付記１３）基地局と無線通信する端末装置が実行する受信制御方法であって、
前記基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する、受信制御方法。
【０１６５】
（付記１４）基地局が行う送信方法であって、
無線通信を管理するためのビーコンフレームとして、第１のビーコンフレームと、前記第１のビーコンフレームより転送レートが高い第２のビーコンフレームと、を送信する、送信方法。
【０１６６】
（付記１５）コンピュータに、
基地局から送信された無線通信を管理するためのビーコンフレームを受信するときに受信動作を開始し前記ビーコンフレームを受信すると前記受信動作を停止し、前記ビーコンフレームとして送信された、第１のビーコンフレームと該第１のビーコンフレームより転送レートが高い第２のビーコンフレームとのうち、所定の無線通信状態を基に前記第２のビーコンフレームを受信できると判断した場合、前記第１のビーコンフレームよりも前記第２のビーコンフレームを優先して受信する受信手順を実行させるためのプログラム。
【０１６７】
（付記１６）コンピュータに、
無線通信を管理するためのビーコンフレームとして、第１のビーコンフレームと、前記第１のビーコンフレームより転送レートが高い第２のビーコンフレームと、を送信する送信処理を実行させるためのプログラム。
【符号の説明】
【０１６８】
１００      通信システム
２００      無線ＬＡＮ基地局
２０１      通信部
２０２      制御部
３００      端末装置
３０１      受信部
３０２      表示部
３０３      入力部
３０４      送信部
３０５      データ制御部
【図１】
2014165578.tif 000003
【図２】
2014165578.tif 000004
【図３】
2014165578.tif 000005
【図４】
2014165578.tif 000006
【図５】
2014165578.tif 000007
【図６】
2014165578.tif 000008
【図７】
2014165578.tif 000009
【図８】
2014165578.tif 000010
【図９】
2014165578.tif 000011
【図１０】
2014165578.tif 000012
【図１１】
2014165578.tif 000013
【図１２】
2014165578.tif 000014
【図１３】
2014165578.tif 000015